(57)【特許請求の範囲】
【請求項１】
通信装置と管理端末とを備える通信システムであって、
前記管理端末は、
コマンドラインインタフェースと、
管理者の操作に基づいて信号特性表示のためのコマンドを前記通信装置へ送信するコマンド送信部と、
前記通信装置から前記コマンドに対する応答として前記信号特性表示のためのコマンドラインインタフェースデータを受信してコマンドラインインタフェース画面へ出力するコマンドラインインタフェースデータ受信部と、
を有し、
前記通信装置は、
所定の変調方式で対象信号を変調して伝送信号を生成し、所定の復調方式で伝送信号から復調して対象信号を生成する変復調部と、
前記コマンドに従って前記伝送信号の特性を表す原データを取得する原データ取得部と、
前記コマンドラインインタフェース画面の状態を示すコマンドラインインタフェース情報を取得するコマンドラインインタフェース情報取得部と、
前記コマンドラインインタフェース情報及び前記原データに基づいて、変換により、前記コマンドラインインタフェース画面に表示するための信号特性表示情報を含む前記コマンドラインインタフェースデータを作成する変換部と、
前記コマンドラインインタフェースデータを前記コマンドに対する応答として前記管理端末へ送信するコマンドラインインタフェースデータ送信部と、
を有し、
前記信号特性表示情報は、文字で表現された信号空間ダイヤグラムを含む、
通信システム。
【請求項２】
請求項１記載の通信システムにおいて、
前記変換部は、前記コマンドラインインタフェースデータを作成する際、
前記コマンドラインインタフェース画面の最大領域内に、前記信号特性表示情報を表示するための第１の領域を確保し、
前記第１の領域における文字のマスに、前記原データにおける時点毎の複数の信号点をプロットし、
前記マス毎に、前記信号点の個数をカウントし、
前記マス毎に、前記個数に応じて、複数の段階における該当する段階を判断し、
前記マス毎に、前記段階に応じて、特定の文字を割り当てる、
通信システム。
【請求項３】
請求項２記載の通信システムにおいて、
前記変換部は、前記第１の領域に前記信号空間ダイヤグラムを表示する場合に、前記原データにおける前記信号点のＩ軸及びＱ軸の数値の最大範囲、または当該最大範囲のうち前記管理者により指定された範囲を表示対象として、前記最大領域に合わせた正方形または長方形の領域となるように前記第１の領域の縦横のサイズを決定する、
通信システム。
【請求項４】
請求項１記載の通信システムにおいて、
前記コマンドラインインタフェース情報取得部は、前記管理端末との通信に基づいて、前記コマンドラインインタフェース情報を取得し、
前記コマンドラインインタフェース情報は、前記コマンドラインインタフェース画面における縦横のサイズを示す情報と、使用文字セットにおける文字サイズを示す情報と、を含む、
通信システム。
【請求項５】
請求項１記載の通信システムにおいて、
前記通信装置は、品質分析部を備え、
前記品質分析部は、前記原データを対象に、所定の品質分析処理により、所定の品質指標値を算出し、当該品質指標値を含む品質分析結果情報を、前記コマンドラインインタフェース画面に表示するための、文字で表現された品質分析結果データを作成して、前記コマンドラインインタフェースデータに添える、
通信システム。
【請求項６】
通信装置と管理端末とを備える通信システムであって、
前記管理端末は、
コマンドラインインタフェースと、
管理者の操作に基づいて信号特性表示のためのコマンドを前記通信装置へ送信するコマンド送信部と、
前記通信装置から前記コマンドに対する応答として前記信号特性表示のための原データを受信する原データ受信部と、
コマンドラインインタフェース画面の状態を示すコマンドラインインタフェース情報を取得するコマンドラインインタフェース情報取得部と、
前記コマンドラインインタフェース情報及び前記原データに基づいて、変換により、前記コマンドラインインタフェース画面に表示するための信号特性表示情報を含むコマンドラインインタフェースデータを作成する変換部と、
前記コマンドラインインタフェースデータを前記コマンドラインインタフェース画面へ出力するコマンドラインインタフェースデータ出力部と、
を有し、
前記通信装置は、
所定の変調方式で対象信号を変調して伝送信号を生成し、所定の復調方式で伝送信号から復調して対象信号を生成する変復調部と、
前記管理端末からの前記コマンドに従って前記伝送信号の特性を表す前記原データを取得する原データ取得部と、
前記原データを前記コマンドに対する応答として前記管理端末へ送信する原データ送信部と、
を有し、
前記信号特性表示情報は、文字で表現された信号空間ダイヤグラムを含む、
通信システム。
【請求項７】
通信装置と管理端末とを備える通信システムにおける信号特性表示方法であって、
前記管理端末は、コマンドラインインタフェースを有し、
前記通信装置は、所定の変調方式で対象信号を変調して伝送信号を生成し、所定の復調方式で伝送信号から復調して対象信号を生成する変復調部を有し、
前記管理端末で実行するステップとして、
管理者の操作に基づいて信号特性表示のためのコマンドを前記通信装置へ送信するステップと、
前記通信装置から前記コマンドに対する応答として前記信号特性表示のためのコマンドラインインタフェースデータを受信してコマンドラインインタフェース画面へ出力するステップと、
を有し、
前記通信装置で実行するステップとして、
前記管理端末からの前記コマンドに従って前記伝送信号の特性を表す原データを取得するステップと、
前記コマンドラインインタフェース画面の状態を示すコマンドラインインタフェース情報を取得するステップと、
前記コマンドラインインタフェース情報及び前記原データに基づいて、変換により、前記コマンドラインインタフェース画面に表示するための信号特性表示情報を含む前記コマンドラインインタフェースデータを作成するステップと、
前記コマンドラインインタフェースデータを前記コマンドに対する応答として前記管理端末へ送信するステップと、
を有し、
前記信号特性表示情報は、文字で表現された信号空間ダイヤグラムを含む、
信号特性表示方法。
【請求項８】
通信装置と管理端末とを備える通信システムにおける信号特性表示方法であって、
前記管理端末は、コマンドラインインタフェースを有し、
前記通信装置は、所定の変調方式で対象信号を変調して伝送信号を生成し、所定の復調方式で伝送信号から復調して対象信号を生成する変復調部を有し、
前記管理端末で実行するステップとして、
管理者の操作に基づいて信号特性表示のためのコマンドを前記通信装置へ送信するステップと、
前記通信装置から前記コマンドに対する応答として前記信号特性表示のための原データを受信するステップと、
コマンドラインインタフェース画面の状態を示すコマンドラインインタフェース情報を取得するステップと、
前記コマンドラインインタフェース情報及び前記原データに基づいて、変換により、前記コマンドラインインタフェース画面に表示するための信号特性表示情報を含むコマンドラインインタフェースデータを作成するステップと、
前記コマンドラインインタフェースデータを前記コマンドラインインタフェース画面へ出力するステップと、
を有し、
前記通信装置で実行するステップとして、
前記管理端末からの前記コマンドに従って前記伝送信号の特性を表す前記原データを取得するステップと、
前記原データを前記コマンドに対する応答として前記管理端末へ送信するステップと、
を有し、
前記信号特性表示情報は、文字で表現された信号空間ダイヤグラムを含む、
信号特性表示方法。
【発明の詳細な説明】
【技術分野】
【０００１】
本発明は、通信技術に関する。また、本発明は、ネットワークの伝送信号の特性等を表示する技術に関する。
【背景技術】
【０００２】
通信システムとして、利用者網と光伝送網とが接続されてネットワークを構成するシステム等がある。その通信システムとして、利用者網に接続されてレイヤ２やレイヤ３の転送を行うスイッチ装置と、光伝送網に接続されて波長分割多重（ＷＤＭ：Wavelength Division Multiplexing）を行う伝送装置とが接続されるシステムがある。この伝送装置は、メディアコンバータとも呼ばれ、利用者網からの電気信号または光信号を、ＷＤＭにより光信号に変換し、光伝送網の光ケーブルに乗せて伝送する。ＷＤＭでは、１本の光ケーブルに、複数の異なる波長の光信号が乗せられる。
【０００３】
ネットワークの伝送信号の特性等の表示に係わる先行技術例としては、特開２０１２−１２４８３４号公報（特許文献１）が挙げられる。特許文献１には、伝送路特性表示装置として、直交周波数分割多重変調方式に対応した伝送信号の特性を表すＩＱモニタ図形を、グラフィカルユーザインタフェース（ＧＵＩ）に対応した画面に表示する旨が記載されている。このＩＱモニタ図形は、変調による信号点を２次元平面上に表現する情報であり、一般に、信号空間ダイヤグラム（Constellation diagram）やコンステレーション図とも呼ばれる。
【先行技術文献】
【特許文献】
【０００４】
【特許文献１】特開２０１２−１２４８３４号公報
【発明の概要】
【発明が解決しようとする課題】
【０００５】
従来技術における伝送信号の特性をＧＵＩ画面に表示する方式は、特性を視覚的に詳細に表現できる利点がある。特に、信号空間ダイヤグラムを表示する用途の場合、特許文献１のように、ＧＵＩ方式を採用することで、特性を詳細に表示できる。しかし、ＧＵＩ方式は、ＧＵＩ処理の実現のためのハードウェア及びソフトウェアの資源及びその実装を必要とし、開発コスト等のコストが高くなる点がある。また、ＧＵＩ方式では、モニタに係わる処理時間が長くなり、高速度の応答表示には向かない点がある。
【０００６】
一方、一般的なコマンドラインインタフェース（ＣＬＩ）を用いて情報を画面に表示する方式は、ＧＵＩ処理のためのハードウェア及びソフトウェアの資源及びその実装が不要であり、低コストで実現できる点がある。また、ＣＬＩ方式は、モニタに係わる処理時間が短くなり、高速度の応答表示に向いている点がある。
【０００７】
従来の通信システムでは、ＣＬＩ方式で運用管理保守（ＯＡＭ：Operations, Administration, and Maintenance）を行っている。即ち、ＣＬＩを持つ管理端末から、スイッチ装置や伝送装置にアクセスして、ＯＡＭを行っている。ＯＡＭは、例えば構成管理、状態検出、障害対応、等が挙げられる。
【０００８】
従来の通信システムにおいて、伝送信号の特性を表す信号空間ダイヤグラム等の情報を管理端末の画面にＧＵＩ方式で表示する場合、従来のＣＬＩ方式のＯＡＭと、そのＧＵＩ方式の信号特性表示とが並存し、方式が別になってしまう。その場合、管理端末には、ＣＬＩ及びＧＵＩの両方のハードウェア及びソフトウェアの実装が必要であり、コストが高くなる。また、管理者は、管理端末で、ＣＬＩ方式のＯＡＭと、ＧＵＩ方式の信号特性表示とを使い分けて連係する作業が必要となり、作業の効率や品質が低下する恐れがある。
【０００９】
即ち、従来の通信システムに、信号特性表示機能を実装するにあたり、ＧＵＩ方式の信号特性表示を適用した場合、コスト、処理時間、作業効率、等の点で課題がある。
【００１０】
本発明の目的は、通信システムの信号特性モニタを含むＯＡＭに関して、従来のＣＬＩ方式のＯＡＭと共存しつつ、好適な信号特性表示を低コストで実現でき、ＯＡＭに係わる作業の効率や品質を確保または向上できる技術を提供することである。
【課題を解決するための手段】
【００１１】
本発明のうち代表的な実施の形態は、通信システム及び信号特性表示方法であって、以下に示す構成を有することを特徴とする。
【００１２】
（１）  一実施の形態の通信システムは、通信装置と管理端末とを備える通信システムであって、前記管理端末は、コマンドラインインタフェースと、管理者の操作に基づいて信号特性表示のためのコマンドを前記通信装置へ送信するコマンド送信部と、前記通信装置から前記コマンドに対する応答として前記信号特性表示のためのコマンドラインインタフェースデータを受信してコマンドラインインタフェース画面へ出力するコマンドラインインタフェースデータ受信部と、を有し、前記通信装置は、所定の変調方式で対象信号を変調して伝送信号を生成し、所定の復調方式で伝送信号から復調して対象信号を生成する変復調部と、前記コマンドに従って前記伝送信号の特性を表す原データを取得する原データ取得部と、前記コマンドラインインタフェース画面の状態を示すコマンドラインインタフェース情報を取得するコマンドラインインタフェース情報取得部と、前記コマンドラインインタフェース情報及び前記原データに基づいて、変換により、前記コマンドラインインタフェース画面に表示するための信号特性表示情報を含む前記コマンドラインインタフェースデータを作成する変換部と、前記コマンドラインインタフェースデータを前記コマンドに対する応答として前記管理端末へ送信するコマンドラインインタフェースデータ送信部と、を有し、前記信号特性表示情報は、文字で表現された信号空間ダイヤグラムを含む。
【００１３】
（２）  一実施の形態の通信システムは、通信装置と管理端末とを備える通信システムであって、前記管理端末は、コマンドラインインタフェースと、管理者の操作に基づいて信号特性表示のための所定のコマンドを前記通信装置へ送信するコマンド送信部と、前記通信装置から前記コマンドに対する応答として前記信号特性表示のための原データを受信する原データ受信部と、コマンドラインインタフェース画面の状態を示すコマンドラインインタフェース情報を取得するコマンドラインインタフェース情報取得部と、前記コマンドラインインタフェース情報及び前記原データに基づいて、変換により、前記コマンドラインインタフェース画面に表示するための信号特性表示情報を含むコマンドラインインタフェースデータを作成する変換部と、前記コマンドラインインタフェースデータを前記コマンドラインインタフェース画面へ出力するコマンドラインインタフェースデータ出力部と、を有し、前記通信装置は、所定の変調方式で対象信号を変調して伝送信号を生成し、所定の復調方式で伝送信号から復調して対象信号を生成する変復調部と、前記管理端末からの前記コマンドに従って前記伝送信号の特性を表す前記原データを取得する原データ取得部と、前記原データを前記コマンドに対する応答として前記管理端末へ送信する原データ送信部と、を有し、前記信号特性表示情報は、文字で表現された信号空間ダイヤグラムを含む。
【００１４】
（３）  一実施の形態の信号特性表示方法は、通信装置と管理端末とを備える通信システムにおける信号特性表示方法であって、前記管理端末は、コマンドラインインタフェースを有し、前記通信装置は、所定の変調方式で対象信号を変調して伝送信号を生成し、所定の復調方式で伝送信号から復調して対象信号を生成する変復調部を有し、前記管理端末で実行するステップとして、管理者の操作に基づいて信号特性表示のためのコマンドを前記通信装置へ送信するステップと、前記通信装置から前記コマンドに対する応答として前記信号特性表示のためのコマンドラインインタフェースデータを受信してコマンドラインインタフェース画面へ出力するステップと、を有し、前記通信装置で実行するステップとして、前記管理端末からの前記コマンドに従って前記伝送信号の特性を表す原データを取得するステップと、前記コマンドラインインタフェース画面の状態を示すコマンドラインインタフェース情報を取得するステップと、前記コマンドラインインタフェース情報及び前記原データに基づいて、変換により、前記コマンドラインインタフェース画面に表示するための信号特性表示情報を含む前記コマンドラインインタフェースデータを作成するステップと、前記コマンドラインインタフェースデータを前記コマンドに対する応答として前記管理端末へ送信するステップと、を有し、前記信号特性表示情報は、文字で表現された信号空間ダイヤグラムを含む。
【００１５】
（４）  一実施の形態の信号特性表示方法は、通信装置と管理端末とを備える通信システムにおける信号特性表示方法であって、前記管理端末は、コマンドラインインタフェースを有し、前記通信装置は、所定の変調方式で対象信号を変調して伝送信号を生成し、所定の復調方式で伝送信号から復調して対象信号を生成する変復調部を有し、前記管理端末で実行するステップとして、管理者の操作に基づいて信号特性表示のためのコマンドを前記通信装置へ送信するステップと、前記通信装置から前記コマンドに対する応答として前記信号特性表示のための原データを受信するステップと、コマンドラインインタフェース画面の状態を示すコマンドラインインタフェース情報を取得するステップと、前記コマンドラインインタフェース情報及び前記原データに基づいて、変換により、前記コマンドラインインタフェース画面に表示するための信号特性表示情報を含むコマンドラインインタフェースデータを作成するステップと、前記コマンドラインインタフェースデータを前記コマンドラインインタフェース画面へ出力するステップと、を有し、前記通信装置で実行するステップとして、前記管理端末からの前記コマンドに従って前記伝送信号の特性を表す前記原データを取得するステップと、前記原データを前記コマンドに対する応答として前記管理端末へ送信するステップと、を有し、前記信号特性表示情報は、文字で表現された信号空間ダイヤグラムを含む。
【発明の効果】
【００１６】
本発明のうち代表的な実施の形態によれば、通信システムの信号特性モニタを含むＯＡＭに関して、従来のＣＬＩ方式のＯＡＭと共存しつつ、好適な信号特性表示を低コストで実現でき、ＯＡＭに係わる作業の効率や品質を確保または向上できる。
【図面の簡単な説明】
【００１７】
【図１】本発明の実施の形態１の通信システムの構成を示す図である。
【図２】実施の形態１の通信システムにおける、ＣＬＩ画面の表示例を示す図である。
【図３】実施の形態１における、適用可能な信号空間ダイヤグラムの例を示す図である。
【図４】実施の形態１における、ＣＬＩ画面のサイズ等を示す図である。
【図５】実施の形態１における、ＣＬＩ画面内の信号特性表示領域等の例を示す図である。
【図６】実施の形態１における、ＣＬＩ画面内の信号特性表示領域における拡大表示の場合の例を示す図である。
【図７】実施の形態１における、ＣＬＩ画面の信号空間ダイヤグラムの表示例を示す図である。
【図８】実施の形態１における、ＣＬＩ画面の損失曲線の表示例を示す図である。
【図９】本発明の実施の形態２の通信システムの構成を示す図である。
【発明を実施するための形態】
【００１８】
以下、本発明の実施の形態を図面に基づいて詳細に説明する。なお、実施の形態を説明するための全図において同一部には原則として同一符号を付し、その繰り返しの説明は省略する。
【００１９】
（実施の形態１）
図１〜図８を用いて、本発明の実施の形態１の通信システム及び信号特性表示方法について説明する。実施の形態１の信号特性表示方法は、実施の形態１の通信システムで実行されるステップを有する方法である。
【００２０】
［通信システム］
図１は、実施の形態１の通信システムの構成を示す。実施の形態１の通信システムは、通信装置１、及び管理端末２を備える。通信装置１と管理端末２は、管理用の通信が可能に接続されている。通信装置１と管理端末２は、直接、ポート間がケーブル等で接続されるか、もしくは、図示しない管理用のＩＰ網等を通じて接続される。
【００２１】
通信装置１は、通信網１０１に接続され、通信網１０１に対してデータ通信を行う機能を有する。通信装置１は、一例として、光伝送網に接続されてＷＤＭによる光伝送を行う伝送装置である。
【００２２】
通信装置１は、制御部１１、記憶部１２、通信部１３を有する。制御部１１は、通信装置１を制御する。制御部１１は、ＣＰＵ、ＲＯＭ、ＲＡＭ等により構成され、ソフトウェアプログラム処理を行う。制御部１１は、ＣＬＩ対応処理部１００を含む。記憶部１２は、一次記憶装置や二次記憶装置で構成され、制御部１１が使用するプログラムやデータを格納する。
【００２３】
通信部１３は、変復調部３１と、通信ポートである複数のポートとを含む。複数のポートとして、ポート３２、ポート３３を含む。ポート３２は、通信網１０１に接続され、データ通信を行うためのポートである。ポート３３は、管理端末２と接続される管理用のポートである。
【００２４】
通信部１３は、通信装置１の種類にもよるが、例えばＦＰＧＡ（Field-Programmable Gate Array）、ラインカード、またはＷＤＭモジュール等で構成される。ラインカードは、イーサネット（登録商標）等の通信インタフェースに対応したモジュールである。ＷＤＭモジュールは、所定の光通信インタフェースにおけるＷＤＭに対応した変換処理を行う機能を持つモジュールである。ＷＤＭモジュールは、光伝送網へ送信するための波長が異なる複数の光信号を、合波により、１つの光信号に変換し、また、光伝送網から受信した光信号を、分波により、複数の光信号に変換する。
【００２５】
変復調部３１は、ポート３２を用いた通信網１０１に対するデータ通信のための変調及び復調を行う。変復調部３１は、所定の変調方式で、通信網１０１への送信対象のデータ信号を変調処理して送信信号を生成する。送信信号は、ポート３２から通信網１０１へ伝送信号として送信される。また、変復調部３１は、所定の変調方式に対応した所定の復調方式で、通信網１０１からポート３２を通じて受信された受信信号を復調処理して受信データ信号を生成する。変復調部３１は、一例としてＷＤＭモジュールに対応したものの場合、光信号の合波の際の変調、及び光信号の分波の際の復調を行う。
【００２６】
通信装置１の通信部１３のポート３３と、管理端末２の通信部２３のポート３４との間では、ＣＬＩ方式の通信が行われる。即ち、当該ポート間では、管理端末２からのコマンドや、通信装置１からのコマンド処理結果、等の文字列が、例えばＩＰ（Internet Protocol）におけるパケット等の形式で授受される。
【００２７】
管理端末２は、通信装置１を含む通信システムを対象としてＯＡＭを行う。管理者は、管理端末２を操作し、ＯＡＭに係わる作業を行う。管理端末２は、一般的なＰＣ等で構成される。
【００２８】
管理端末２は、制御部２１、記憶部２２、通信部２３、入力装置２４、表示装置２５を有する。制御部２１は、ＣＰＵ、ＲＯＭ、ＲＡＭ等で構成され、管理端末２を制御する。制御部２１は、ソフトウェアプログラム処理を行う。制御部２１は、ＣＬＩを実現するＣＬＩ部２００を含む。記憶部２２は、一次記憶装置や二次記憶装置で構成され、制御部２１が使用するプログラムやデータを格納する。入力装置２４は、キーボードやマウス等がある。表示装置２５は、例えば液晶表示装置がある。通信部２３は、通信装置１とのリンクに接続されるポート３４を含み、通信装置１とのＣＬＩ方式の通信を行う。
【００２９】
管理端末２は、ユーザインタフェースとして、ＣＬＩ部２００により実現される、一般的なＣＬＩを有する。このＣＬＩは、汎用的なソフトウェアにより実現されるＣＬＩを含め、各種のＣＬＩが適用可能である。
【００３０】
管理端末２は、ＣＬＩ部２００により、ＣＬＩ画面を、表示装置２５の画面内に表示する。管理者は、ＣＬＩ画面に対して、コマンドを入力する。ＣＬＩ部２００は、入力されたコマンドに応じたコマンド処理を行う。ＣＬＩ部２００は、入力されたコマンドに応じて、通信装置１にコマンドを送信する。ＣＬＩ部２００は、通信装置１からのコマンド処理結果を受信し、ＣＬＩ画面に表示する。ＣＬＩ画面には、特に、信号特性表示機能による、通信装置１の伝送信号の特性及び品質等を表す情報が表示される。管理者は、ＣＬＩ画面のコマンド処理結果等を見る。
【００３１】
管理端末２は、ＯＡＭの一部として、特に、通信装置１の通信機能における変復調を含む伝送信号の特性及び品質等を表示する信号特性表示機能を有する。通信装置１のＣＬＩ対応処理部１００、及び管理端末２のＣＬＩ部２００は、この信号特性表示機能に対応した実装を有する。管理端末２の実装としては、ＣＬＩ部２００における信号特性表示機能に係わるコマンドを発行する機能を有する。通信装置１の実装としては、ＣＬＩ対応処理部１００における、信号特性表示機能に係わるコマンドの処理機能を有する。管理端末２の実装としては、基本的に、従来の管理端末に、特定のコマンドを発行する機能を追加するのみで済み、ＧＵＩ方式の信号特性表示機能の実装は不要である。
【００３２】
［機能ブロック構成］
図１において、実施の形態１の通信システムにおける、通信装置１の制御部１１や管理端末２の制御部２１の機能ブロック構成を説明する。
【００３３】
制御部２１のＣＬＩ部２００は、コマンド送信部６１、及びＣＬＩデータ受信部６２を含む。ＣＬＩ部２００は、ユーザである管理者のユーザ設定に基づいて、ＣＬＩ画面を構成し、表示装置２５の画面内に表示する。ＣＬＩ部２００は、ユーザ設定に基づいて、ＣＬＩ画面の状態を規定するＣＬＩ情報２０２を管理している。ＣＬＩ情報２０２は、後述するが、ＣＬＩ画面のサイズ、文字のサイズ、使用文字セット、等を把握可能とする情報を含んでいる。
【００３４】
コマンド送信部６１は、ＣＬＩ画面で管理者により入力されたコマンドが、信号特性表示機能に係わる所定のコマンドである場合、そのコマンドに対応した指示を含むコマンドを、通信部２３を通じて通信装置１へ送信する処理を行う。
【００３５】
ＣＬＩデータ受信部６２は、通信装置１から上記コマンドに対する応答として受信したＣＬＩデータを取得し、そのＣＬＩデータをＣＬＩ画面へ出力する処理を行う。これにより、表示装置２５の画面内のＣＬＩ画面に、コマンド処理結果として、文字で表現された信号特性表示情報等が表示される。
【００３６】
制御部１１のＣＬＩ対応処理部１００は、原データ取得部５１、ＣＬＩ情報取得部５２、変換部５３、品質分析部５４、ＣＬＩデータ送信部５５を有する。原データ取得部５１は、変復調部３１から、信号特性表示のための原データを取得する処理を行う。ＣＬＩ情報取得部５２は、管理端末２からＣＬＩ情報を取得する処理を行う。変換部５３は、原データ及びＣＬＩ情報を用いて、変換により、ＣＬＩ方式の信号特性表示情報を含むＣＬＩデータを作成する処理を行う。品質分析部５４は、原データを用いて伝送信号の品質を分析する所定の品質分析処理を行い、ＣＬＩ方式の品質分析結果情報を作成する処理を行う。ＣＬＩデータ送信部５５は、ＣＬＩデータを、通信部１３を通じて管理端末２へ送信する処理を行う。
【００３７】
［処理シーケンス］
図１の通信システムにおいて、信号特性表示に係わる処理シーケンスは以下の通りである。以下、処理シーケンスを構成するステップの順に説明する。
【００３８】
（１）  管理者は、管理端末２で、信号特性表示のためのコマンドを入力する。ＣＬＩ部２００は、入力されたコマンドを解釈し、当該コマンドが、信号特性表示に係わる所定のコマンドである場合、コマンド送信部６１を用いる。コマンド送信部６１は、入力されたコマンドに対応したコマンド２０１を作成する。コマンド送信部６１は、そのコマンド２０１を、通信部２３のポート３４から、通信装置１へ向けて送信する。
【００３９】
コマンド２０１の内容は、例えば、指定された任意のタイミングや期間で、あるいは一定時間間隔のタイミング毎に、通信装置１の伝送信号の特性を表すＣＬＩデータを取得するための指示を含む。本例では、コマンド２０１の内容は、コマンド入力の時点から一定時間後の時点までの期間を対象として、信号特性表示を行うための指示を含む。
【００４０】
コマンド２０１の内容は、詳しくは、対象期間で、一定時間間隔のタイミング毎に、自動的に、伝送信号の原データをスナップショットとして取得させる指示を含む。そして、コマンド２０１の内容は、それらの各時点の原データを用いて信号空間ダイヤグラム等を作成して表示させる指示を含む。
【００４１】
上記（１）のステップにおけるコマンド２０１の内容は、上記に限らず可能である。例えば、管理者は、予め、管理端末２からコマンドにより通信装置１にユーザ設定を行う。通信装置１は、そのユーザ設定に基づいて、指定のタイミングで自動的に原データを取得してＣＬＩデータを作成し、指定のタイミングで管理端末２へ送信する。
【００４２】
（２）  通信装置１は、管理端末２からのコマンド２０１を、通信部１３のポート３３で受信する。通信部１３は、そのコマンド２０１を、制御部１１のＣＬＩ対応処理部１００へ転送する。
【００４３】
（３）  ＣＬＩ対応処理部１００の原データ取得部５１は、コマンド２０１で示す指示に応じて、通信部１３の変復調部３１から、指定された時点や期間の伝送信号の原データ２０３を取得する。原データ取得部５１は、取得した原データ２０３を、変換部５３へ出力する。
【００４４】
原データ２０３は、信号特性表示情報を作成するために必要な原データである。原データ２０３は、変復調部３１の変復調方式に対応した送信信号や受信信号等の伝送信号における特性を表す数値データである。原データ２０３は、時点毎に複数の信号点の数値データを含んでいる。１つの信号点の数値データは、後述する信号空間ダイヤグラム内の１つの位置座標に相当する。
【００４５】
原データ取得部５１は、例えば、変復調部３１から得た原データ２０３における時点毎の複数の信号点の数値データについて、信号空間ダイヤグラムのＩ軸及びＱ軸のそれぞれで−１から＋１の範囲になるように正規化して出力する。
【００４６】
（４）  ＣＬＩ情報取得部５２は、管理端末２からＣＬＩ情報２０２を取得する。ＣＬＩ情報取得部５２は、通信部１３を通じた管理端末２との通信に基づいて、管理端末２のＣＬＩ部２００から、ＣＬＩ情報２０２を取得する。ＣＬＩ情報取得部５２は、ＣＬＩ情報２０２から、ＣＬＩ画面のサイズや表示分解能等を把握可能な情報を得る。
【００４７】
変換部５３での変換の際には、ＣＬＩ情報２０２が必要である。これは、管理端末２のＣＬＩ及びそのＣＬＩ画面の状態に合わせたＣＬＩデータを生成するためである。ＣＬＩ情報２０２を取得する方式は、各種が可能であり、実施の形態１では、以下の（４Ａ）で示す方式を用いる。
【００４８】
（４Ａ）  ＣＬＩ情報取得部５２は、変換部５３での変換の都度、ＣＬＩ情報２０２を取得するために、ＣＬＩ情報要求を、管理端末２へ送信する。ＣＬＩ情報取得部５２は、ＣＬＩ情報要求を含むパケットを作成し、通信部１３のポート３３から管理端末２へ送信する。
【００４９】
管理端末２は、そのパケットを通信部２３のポート３４で受信し、そのＣＬＩ情報要求をＣＬＩ部２００へ転送する。ＣＬＩ部２００は、そのＣＬＩ情報要求に応じて、その時点で設定されているＣＬＩ情報２０２を応答する。ＣＬＩ部２００は、ＣＬＩ情報２０２を含むパケットを作成し、通信部２３のポート３４から通信装置１へ送信する。通信装置１は、そのパケットを受信し、ＣＬＩ情報２０２をＣＬＩ情報取得部５２へ与える。
【００５０】
ＣＬＩ情報取得部５２は、原データ２０３に伴い、管理端末２から取得したＣＬＩ情報２０２を、変換部５３へ出力する。
【００５１】
ＣＬＩ情報取得部５２は、管理端末２から取得したＣＬＩ情報２０２を、メモリに保持しておいてもよい。ＣＬＩ情報取得部５２は、変換部５３での次の変換が要求されたタイミングで、メモリに保持されているＣＬＩ情報２０２を参照し、そのＣＬＩ情報２０２をそのまま使用可能である場合には、そのＣＬＩ情報２０２を変換部５３へ与える。ＣＬＩ情報取得部５２は、メモリのＣＬＩ情報２０２が使用できない場合には、改めて、上記と同様に、ＣＬＩ情報要求を管理端末２へ送信し、最新のＣＬＩ情報２０２を取得して、変換部５３へ与える。
【００５２】
通信装置１に接続される管理端末２及びそのＣＬＩは、同じである場合もあるし、異なる場合もある。また、管理端末２及びそのＣＬＩが基本的に同じものに固定されている場合でも、ユーザ設定等によって、そのＣＬＩの設定状態が変更されている場合がある。
【００５３】
よって、そのことを考慮して、ＣＬＩ情報取得部５２は、その都度、接続されている管理端末２及びそのＣＬＩ部２００から、最新のＣＬＩ情報２０２を取得する。これにより、異なる管理端末２の異なるＣＬＩや、ＣＬＩ画面の状態の変化に対しても、柔軟に対応でき、即ち、各種のＣＬＩに対応できる好適な信号特性表示機能を実現できる。
【００５４】
（４Ｂ）  ＣＬＩ情報２０２に関する他の方式として、以下の変形例も可能である。ＣＬＩ情報取得部５２は、最初に管理端末２から通信装置１に送信されたコマンド２０１に一緒に添えられたＣＬＩ情報２０２を用いてもよい。この方式の場合、管理端末２のＣＬＩ部２００のコマンド送信部６１は、最初にコマンド２０１を送信する際に、そのコマンド２０１の中に、その時の最新のＣＬＩ情報２０２を添える。ＣＬＩ情報取得部５２は、そのコマンド２０１に添えられたＣＬＩ情報２０２を取り出して、変換部５３での変換に用いるようにする。
【００５５】
（４Ｃ）  ＣＬＩ情報２０２に関する他の方式として、以下の変形例も可能である。予め、通信装置１にＣＬＩ情報２０２が設定される。例えば、管理者は、コマンドに基づいて、管理端末２のＣＬＩ部２００に設定されているＣＬＩ情報２０２を参照する。管理者は、コマンドに基づいて、通信装置１にアクセスし、ＣＬＩ対応処理部１００にそのＣＬＩ情報２０２を設定する。
【００５６】
ＣＬＩ情報取得部５２は、変換部５３での変換が要求されたタイミングで、その設定済みのＣＬＩ情報２０２を参照して用いる。ＣＬＩ情報取得部５２は、ＣＬＩ情報２０２が設定されていない場合には、（４Ａ）等の方式と同様に、管理端末２からＣＬＩ情報２０２を取得する。
【００５７】
管理端末２及びそのＣＬＩが一種類に固定である場合には、（４Ｃ）のように予めＣＬＩ情報２０２を設定しておくことにより、通信装置１と管理端末２との間のＣＬＩ情報２０２に係わる通信を省略することができる。管理端末２及びそのＣＬＩが他の種類に変更される場合には、ＣＬＩ情報２０２の設定を更新すればよい。
【００５８】
（５）  変換部５３は、原データ取得部５１からの原データ２０３を入力し、ＣＬＩ情報取得部５２からのＣＬＩ情報２０２を入力する。変換部５３は、ＣＬＩ情報２０２を用いて、その原データ２０３を、ＣＬＩ方式のＣＬＩデータ２０４に変換する変換処理を行い、その変換後データであるＣＬＩデータ２０４を出力する。このＣＬＩデータ２０４には、伝送信号の特性を表す情報として、ＣＬＩ方式の信号空間ダイヤグラム等の信号特性表示情報が含まれている。変換部５３の変換処理の内容については後述する。
【００５９】
（６）  更に、実施の形態１では、品質分析部５４を用いて、伝送信号の品質を分析する品質分析処理を行い、その品質分析結果を、ＣＬＩ方式で、ＣＬＩデータ２０４に添付することができる。管理者は、コマンドやユーザ設定によって、品質分析の実行有無、対象期間、種類や詳細等を、選択や指定が可能である。以下は、変換部５３での変換と共に、所定の品質分析を実行する場合に対応した説明である。なお、品質分析を実行しない場合、変換部５３からのＣＬＩデータ２０４が、ＣＬＩデータ送信部５５に出力される。
【００６０】
品質分析部５４は、入力された原データ２０３に基づいて、指定された品質分析処理を行い、伝送信号の品質を表す品質分析結果情報を得る。品質分析部５４は、品質分析結果情報を、ＣＬＩ画面に表示するために、ＣＬＩ方式の文字で表現された表やグラフ等の形式になるように、ＣＬＩ方式の品質分析結果データを作成する。品質分析部５４は、その品質分析結果データを、変換部５３からのＣＬＩデータ２０４に添える。例えば、品質分析部５４は、ＣＬＩデータ２０４内の文字の領域において、信号特性表示情報と共に、品質分析結果データの文字を記述する。品質分析部５４は、品質分析結果データを含むＣＬＩデータ２０４を、ＣＬＩデータ送信部５５に出力する。
【００６１】
上記に限らず、ＣＬＩ対応処理部１００は、信号特性表示情報のＣＬＩデータと、品質分析結果情報のＣＬＩデータとで、別個のＣＬＩデータとして作成して出力してもよい。
【００６２】
なお、変換部５３からのＣＬＩデータ２０４自体において、その信号特性表示情報が後述する信号空間ダイヤグラムである場合には、その信号空間ダイヤグラム自体が、伝送信号の品質を表す情報を含んでいる。即ち、信号空間ダイヤグラムにおける信号点の位置は、伝送の品質を表している。品質分析部５４で行う品質分析は、信号空間ダイヤグラムで表す品質とは別に、所定の品質指標値を算出するものである。
【００６３】
（７）  ＣＬＩデータ送信部５５は、変換部５３からのＣＬＩデータ２０４、または品質分析部５４からのＣＬＩデータ２０４を入力し、そのＣＬＩデータ２０４を含むパケット等の形式のＣＬＩデータ２０５を作成する。このＣＬＩデータ２０５の内容は文字列である。ＣＬＩデータ送信部５５は、そのＣＬＩデータ２０５を、コマンド２０１への応答として、通信部１３のポート３３から管理端末２へ向けて送信する。
【００６４】
（８）  管理端末２の通信部２３は、通信装置１からのＣＬＩデータ２０５のパケットをポート３４で受信し、そのパケットに含まれているＣＬＩデータを、ＣＬＩ部２００へ転送する。ＣＬＩ部２００のＣＬＩデータ受信部６２は、そのＣＬＩデータを取得する。
【００６５】
（９）  ＣＬＩデータ受信部６２は、取得したＣＬＩデータを、ＣＬＩ画面へ出力する。これにより、表示装置２５の画面内のＣＬＩ画面に、信号空間ダイヤグラム等の信号特性表示情報や、品質分析結果情報等が表示される。
【００６６】
管理者は、所望のタイミングや期間で、伝送信号の特性等を容易にモニタすることができる。管理者は、ＣＬＩ画面を見て、通信装置１の伝送信号の特性や品質の状態を認識することができる。管理者は、ＣＬＩ画面で、構成管理等の他のＯＡＭの作業からすぐに信号特性確認作業等に連係することができ、また、信号特性確認作業等からすぐに他のＯＡＭの作業に連係することもできる。即ち、管理者は、管理端末２のＣＬＩ画面で、通信装置１のＯＡＭに係わる作業を効率的に行うことができる。
【００６７】
［ＣＬＩ画面］
図２は、管理端末２の表示装置２５の画面内に表示されるＣＬＩ画面の例を示す。画面３０１は、表示装置２５の画面を示す。その画面３０１内に、ＣＬＩ画面３０２が表示されている。ＣＬＩ画面３０２内において、信号特性表示情報として、ＣＬＩ方式の信号空間ダイヤグラム３０３が表示されている。信号空間ダイヤグラム３０３では、Ｉ軸、Ｑ軸、信号点が、文字で表現されている。なお、信号空間ダイヤグラムの表示において、他にも補助的な情報として、Ｉ軸及びＱ軸の目盛りの数値や、信号点の文字の意味等が表示されてもよい。
【００６８】
［信号空間ダイヤグラム］
変復調部３１の変復調方式に対応した信号空間ダイヤグラムについて補足する。デジタル信号をアナログ信号に変換する変調方式として、位相偏移変調（ＰＳＫ：Phase-Shift Keying）や振幅偏移変調等がある。位相偏移変調には、二位相偏移変調（ＢＰＳＫ：Binary PSK）、四位相偏移変調（ＱＰＳＫ：Quaternary PSK）、八位相偏移変調（８ＰＳＫ）、等の各種の方式がある。
【００６９】
ＰＳＫでは、基準信号の位相を変調させて、時点毎に複数の信号点を含む信号が生成される。複数の信号点は、異なる特定の位相を持つ。１つの位相の信号点には、特定のビットパターンがシンボルとして割り当てられる。
【００７０】
ＰＳＫ等の変調方式の伝送信号の特性の状態を表現するための手段として、信号空間ダイヤグラムがある。言い換えると、ＰＳＫ等の位相変調信号の特性は、信号空間ダイヤグラムによって視覚的に表現可能である。信号空間ダイヤグラムは、同相（in-phase）の信号をＩ軸としてとり、それに対して直角の位相（quadrature-phase）の信号をＱ軸としてとったガウス平面を有する。信号空間ダイヤグラムは、２次元平面であるガウス平面に、Ｉ軸の振幅とＱ軸の振幅の組合せで、複数の信号点（constellation point）をプロットして表示した図である。信号空間ダイヤグラムは、信号の特性及び品質を、視覚的に直感的に把握することに適している。
【００７１】
実施の形態１では、変復調部３１の変復調方式の例として、ＱＰＳＫ方式とする。実施の形態１では、ＱＰＳＫ方式に対応した信号空間ダイヤグラムを、ＣＬＩ方式の信号特性表示情報として表示する機能を有する。
【００７２】
図３の（Ａ）は、ＱＰＳＫの場合の信号空間ダイヤグラムの概要を示す。横軸がＩ軸、縦軸がＱ軸である。円の円周に、４種類の位相に対応した、４個の信号点が配置されている。平面の中心点と信号点との距離は振幅を表す。中心点からの角度は位相を表す。４個の信号点は、円の円周に、一定間隔で配置されており、即ち、振幅が同じで、位相が一定間隔で異なっている。即ち、ある時点には４個の信号点のうちどれか１つが選択され、１信号で２ビットの情報を符号化することができる。
【００７３】
図３の（Ａ）では、信号点Ｐ１〜Ｐ４を示す。信号点Ｐ１は、Ｉ軸の値が＋０．５、Ｑ軸の値が＋０．５であり、位置座標（＋０．５，＋０．５）に相当する。同様に、信号点Ｐ２は、（−０．５，＋０．５）に相当する。信号点Ｐ３は、（−０．５，−０．５）に相当する。信号点Ｐ４は、（＋０．５，−０．５）に相当する。信号点Ｐ１は、ビット“１１”を示す。信号点Ｐ２は、ビット“０１”を示す。信号点Ｐ３は、ビット“００”を示す。信号点Ｐ４は、ビット“１０”を示す。
【００７４】
図３の（Ｂ）は、同様に、８ＰＳＫの場合の信号空間ダイヤグラムの概要を示す。平面における円の円周に、位相が４５度ずれた８個の信号点が配置されている。各信号点のシンボルは、３ビットの情報を持つ。８個の信号点に対し、ビット“０００”からビット“１１１”までが割り当てられている。ある時点には８個の信号点のうちどれか１つが選択され、３ビットの情報を符号化することができる。
【００７５】
図３の（Ｃ）は、同様に、１６ＱＡＭの場合の信号空間ダイヤグラムの概要を示す。１６ＱＡＭは、直角位相振幅変調（ＱＡＭ：Quadrature amplitude modulation）の１つであり、時点毎に１６個の信号点を持つ。ＱＡＭ方式では、位相変調に振幅変調が加えられている。平面において、ある時点の１６個の信号点が、Ｉ軸及びＱ軸のそれぞれで一定間隔として格子状に配置されている。各信号点のシンボルは、４ビットの情報を持つ。１６個の信号点に対し、ビット“００００”からビット“１１１１”までが割り当てられている。ある時点には１６個の信号点のうちどれか１つが選択され、４ビットの情報を符号化することができる。
【００７６】
実施の形態１の通信システム及び信号特性表示方法は、適用可能な変復調方式及び信号空間ダイヤグラムとして、上記ＰＳＫやＱＡＭを含む各種の方式が適用可能である。また、実施の形態１における信号特性表示機能により表示する信号特性表示情報としては、信号空間ダイヤグラムに限らず、伝送信号の特性や品質を表現するための各種の２次元図形が適用可能である。通信端末１のＣＬＩ対応処理部１００は、表示可能とする種類の２次元図形に応じた実装を有する。
【００７７】
［ＣＬＩ情報］
図４及び図５を用いて、ＣＬＩ画面及びＣＬＩ情報２０２について説明する。ＣＬＩ情報２０２は、ＣＬＩ画面に関する、横サイズ、縦サイズ、文字サイズ比率、使用文字セット、等の情報を含む。ＣＬＩ方式の信号特性表示情報を作成するために、ＣＬＩ情報２０２として、ＣＬＩ画面のサイズ、及びその中の１文字のマスのサイズ等を把握可能な情報を用いる。
【００７８】
図４は、ＣＬＩ画面のサイズや表示分解能を示す。ＣＬＩ画面の最大領域である矩形において、横サイズである列数をＸ１とし、縦サイズである行数をＹ１とする。ＣＬＩ画面は、文字が表示されるので、表示される文字に対応したマスの単位での表示分解能を有する。例えば、あるＣＬＩ画面のユーザ設定状態において、横方向に８０列で８０文字、縦方向に２４行で２４文字が表示される。その場合、縦サイズはＹ１＝２４であり、横サイズはＸ１＝８０である。なお、ＣＬＩ画面のサイズは、行数や列数に限らず、ドット数等で規定されても構わない。
【００７９】
１文字のマスにおいて、横サイズをＸ０、縦サイズをＹ０とする。文字サイズ比率をＡ１とし、Ａ１＝Ｙ０／Ｘ０とする。文字サイズ比率は、ここでは、１文字のマスにおける横サイズＸ０に対する縦サイズＹ０の比率である。ＣＬＩ画面で使用する文字セット等に応じて、文字サイズ比率Ａ１が決まる。例えば、典型的なＣＬＩにおける使用文字セットでは、一般的なＡＳＣＩＩ及び等幅フォントが用いられており、その場合、１文字の縦横の比が２：１であり、即ち、文字サイズ比率は、Ａ１＝２である。
【００８０】
図４のＣＬＩ画面の例では、文字サイズ比率を考慮した、実際の縦横の比は、概ね、Ｙ１×Ａ１：Ｘ１＝２４×２：８０＝６：１０であり、縦横サイズ比率が６／１０＝０．６である。本例では、ＣＬＩ画面は、縦方向よりも横方向の辺が長い長方形である。縦方向とは画面内垂直方向、横方向とは画面内水平方向である。
【００８１】
図５は、ＣＬＩ画面内の信号特性表示領域等の構成を示す。図４に対応するＣＬＩ画面６００の最大領域内に、第１の領域として、信号特性表示領域６０１と、第２の領域として、その他の領域である品質表示領域６０２と、が設けられている。
【００８２】
本例では、信号特性表示領域６０１は、ＣＬＩ画面６００内で、左上点に寄せて、縦サイズＹ１に合わせた辺を持つ正方形の領域として設けられている。ＣＬＩ画面６００内で、信号特性表示領域６０１を除いた右横の空いた領域が、品質表示領域６０２として設けられている。信号特性表示領域６０１における横サイズをＸ２、縦サイズをＹ２とする。本例では、Ｘ２＝Ｙ２＝Ｙ１、Ｘ２＜Ｘ１、である。本例では、信号特性表示領域６０１は、図３の（Ａ）のＱＰＳＫの信号空間ダイヤグラムを表示するために、Ｉ軸及びＱ軸の長さを同じとした正方形の領域として設けられている。
【００８３】
ＣＬＩ画面６００内の詳しい構成は、上記例に限らず、管理者からのコマンドやユーザ設定に応じて、各種が可能である。ＣＬＩ画面の他の構成として、以下が挙げられる。
【００８４】
ＣＬＩ画面の他の構成として、信号特性表示領域６０１を、ＣＬＩ画面の最大領域に合わせた、横長の長方形の領域として設けることも可能である。変換部５３は、ＣＬＩ画面の最大領域内に信号特性表示領域を確保する際、原データにおける信号点の最大範囲、または当該最大範囲のうち管理者により指定された範囲に対応させて、最大領域内に収まるように、信号特性表示領域の縦横のサイズを決定する。変換部５３は、指示や設定に応じて、信号特性表示領域を、縦横の長さが等しい正方形、または最大領域に合わせて縦または横に拡大した長方形となるようにする。
【００８５】
また、ＣＬＩ画面の他の構成としては、縦方向で信号特性表示領域６０１の下に続けて品質表示領域を設けることも可能である。また、例えば、信号特性表示領域６０１内で多くのマスが空白になっている領域がある場合には、その領域を品質表示領域とすることも可能である。
【００８６】
図６は、ＣＬＩ画面の他の構成として、信号特性表示機能のうちの拡大表示機能を利用して、信号空間ダイヤグラムの一部を拡大表示する場合の例を概略的に示す。図６のＣＬＩ画面７００は、縦長の長方形の場合である。ＣＬＩ画面７００内に、拡大表示領域に対応した信号特性表示領域７０１が設けられている。また、信号特性表示領域７０１の下に、品質表示領域７０２が設けられている。信号特性表示領域７０１は、例えば横サイズがＣＬＩ画面７００の横サイズと同じに合わせられ、縦サイズが横サイズと同じにされ、正方形の領域として設けられている。この信号特性表示領域７０１内において、図５のような信号特性表示領域６０１内から管理者により指定された任意の領域が、ＣＬＩ方式で拡大表示される。本例では、図５の信号特性表示領域６０１のＱＰＳＫの信号空間ダイヤグラムの全体のうち、信号点Ｐ１を含む第１象限領域が拡大表示されている。
【００８７】
ＣＬＩ対応処理部１００の拡大表示機能において、変換部５３は、指定された拡大対象領域に対応付けられる原データを参照し、その原データを用いて拡大表示領域のマスに対する信号点のプロット等を実行する。これにより、変換部５３は、拡大表示領域におけるＣＬＩ方式の文字の表現を得て、それをＣＬＩデータとする。
【００８８】
拡大対象領域の指定は、例えば、コマンドやそのパラメータを用いて、拡大対象領域の左上点及び右下点の座標を指定する方式でもよいし、予め設定された領域タイプから選択して指定する方式でもよい。領域タイプは、主なものが予め用意され、また、ユーザ設定も可能である。領域タイプとして、例えば、信号空間ダイヤグラムの象限領域がある。図３等に示すように、Ｉ軸及びＱ軸の値の正負に応じて４つの象限領域があり、象限領域毎に選択可能とする。また、領域タイプとして、信号空間ダイヤグラムの平面における、中心点からの距離に応じた範囲を選択可能とする。例えば、図３の（Ａ）の例で、Ｉ軸及びＱ軸のそれぞれで−０．５から＋０．５までの範囲に対応した矩形の領域を選択可能とする。
【００８９】
［ＣＬＩ方式の信号空間ダイヤグラム］
図７は、管理端末２のＣＬＩ画面におけるＣＬＩ方式の信号空間ダイヤグラムの表示例を示す。図７の表示例は、図５のＣＬＩ画面６００の信号特性表示領域６０１に、図３の（Ａ）のようなＱＰＳＫの信号空間ダイヤグラムを、ＣＬＩに対応した特定の文字を用いて表示している。図７の例では、１文字のマス毎に、時系列上で測定及び検出された該当する信号点に関する情報がまとめて表示される。マス毎に、信号点の測定に関する複数の段階が、特定の文字を用いて表示される。なお、図７では、わかりやすいように、格子状のマスを図示している。図７からマスを除いたものが、図２のＣＬＩ画面に対応する。
【００９０】
変換部５３は、ＣＬＩ情報２０２で示される使用文字セットに対応して、信号特性表示領域６０１の信号空間ダイヤグラムの表現に使用する文字を決定する。図７の例では、使用する文字として、空白（“ ”）の他に、“+”，“*”，“@”，“C”等を有する。また、Ｉ軸やＱ軸の表現のために、“I”，“Q”、罫線記号等が用いられている。信号点の表現として、“C”は理想値（Ideal）を示す。図３の（Ａ）の例で言えば、信号点Ｐ１〜Ｐ４の位置が、“C”で示す理想値に対応する。
【００９１】
また、本例では、信号点の表現として、１文字のマス毎に、測定に関する複数の段階、言い換えると出現の度合いを、４種類の文字を用いて表現している。空白（“ ”）は第１レベルであり、測定点無しを示す。“+”（プラス）は第２レベルであり、やや疎な測定点を示す。“*”（アスタリスク）は第３レベルであり、中間程度の測定点を示す。“@”（アットマーク）は最大である第４レベルであり、密な測定点を示す。
【００９２】
ＧＵＩ方式の場合には色のグラデーションを用いて表現できるが、ＣＬＩ方式では黒白の２値で表現する。実施の形態１では、ＣＬＩ方式として、色の違いではなく、文字の種類の違いによって、信号点の複数の段階等を表現する。
【００９３】
変換部５３は、原データ２０３の数値に基づいて、時点毎の複数の信号点を、ＣＬＩ画面内のマスにプロットし、マス毎に、該当する信号点の個数に基づいて、段階を判断する。そして、変換部５３は、マス毎の信号点の段階に応じて、所定の文字（“ ”，“+”，“*”，“@”）を割り当てる。
【００９４】
本例で使用している４種類の文字（“ ”，“+”，“*”，“@”）は、信号点の粗密を表現するために、文字のマスにおける空白率に基づいて選択されている。ここでいう空白率は、１マスの領域内に白黒の２値で文字を表示する際の、文字線と背景との白黒の割合である。例えば文字“+”は空白率が相対的に高いので、第２レベルを表す文字とし、文字“@”は、空白率が相対的に低いので、第４レベルを表す文字としている。
【００９５】
信号点に関する複数の段階の値は、４に限らず可能である。例えば、管理者は、ユーザ設定で、管理端末２から通信装置１のＣＬＩ対応処理部１００に、複数の段階の値を設定可能である。
【００９６】
また、信号点の複数の段階を表すための使用文字については、他の文字も勿論可能であり、ＣＬＩで使用可能な文字セットの文字の中から選択可能である。ＣＬＩで使用可能な文字は、例えばＡＳＣＩＩの印字可能文字であり、数字やアルファベットや所定の記号を含む。複数の段階を表すための使用文字の例として、数字（1,2,3等）やアルファベット（a,b,c等）を用いてもよく、数字の順序やアルファベットの順序で複数の段階を表現してもよい。
【００９７】
また、ＣＬＩ画面での使用文字として、半角文字に限らず、全角文字を使用してもよい。例えば、全角文字を用いる場合、“○”，“◎”，“●”等の記号を使用してもよい。また、ＣＬＩ画面で信号特性表示情報を表現するために、横方向で隣り合う２つの半角文字の２つのマスを１組として仮想的に１つのマスとして対応付けるようにしてもよい。
【００９８】
［変換部］
図２の変換部５３の変換処理によるＣＬＩデータ作成処理について、より詳しく説明する。変換部５３は、原データ２０３及びＣＬＩ情報２０２を用いて、ＣＬＩ方式の信号特性表示情報を含むＣＬＩデータ２０４を作成する。その際、変換部５３は、以下に示す処理を行う。以下、処理のステップの順に説明する。
【００９９】
（１）  まず、変換部５３は、ＣＬＩ情報２０２から、ＣＬＩ画面の最大領域や文字サイズ比率等を把握する。変換部５３は、その最大領域内に、信号特性表示領域６０１を設定する。変換部５３は、表示対象の信号空間ダイヤグラムにおけるＩ軸及びＱ軸の大きさ等に応じて、信号特性表示領域６０１の縦横のサイズを決定する。
【０１００】
例えば、前述のように、原データ２０３は−１から＋１の範囲に正規化されている。なお、変換部５３で正規化処理を行ってもよい。図３の（Ａ）のようにＱＰＳＫの信号空間ダイヤグラムを表示する場合、４個の信号点の理想値は、（−０．５，−０．５），（−０．５，＋０．５），（＋０．５，−０．５），（＋０．５，＋０．５）である。信号特性表示領域６０１の範囲を、原データ２０３の最大範囲である−１から＋１の範囲に合わせ、正方形の領域とする。図５のように、ＣＬＩ画面は、横長の最大領域で、縦長の文字のマスであり、Ｘ１＞Ｙ１×Ａ１（例えば８０＞２４×２）である。この場合、正確なアスペクト比で表現できるのは、短辺に合わせた範囲であり、縦方向でＹ１、横方向でＹ１×Ａ１とした範囲である。即ち、信号特性表示領域６０１の例では、縦サイズＹ２は２４行分（２４文字分）のサイズ、横サイズＸ２は２４×２＝４８列分（４８文字）のサイズである。即ち、この信号特性表示領域６０１では、Ｉ軸の−１から＋１の範囲は、横方向の４８列、４８文字分の分解能で表現され、Ｑ軸の−１から＋１の範囲は、縦方向の２４行、２４文字分の分解能で表現される。
【０１０１】
（２）  変換部５３は、原データ２０３における時点毎の複数の信号点のＩ軸及びＱ軸の値を、信号特性表示領域６０１にプロットする。言い換えると、変換部５３は、原データ２０３の詳細な数値を、それよりも粗い表示分解能を持つ信号特性表示領域６０１の文字のマスの単位にプロットするように量子化する。即ち、変換部５３は、信号点のＩ軸及びＱ軸の値が、信号特性表示領域６０１の格子状の複数のマスにおけるどのマスに収まるかを決定する。
【０１０２】
信号点のＩ軸及びＱ軸の値を（ｉ，ｑ）とする。例えば、信号点の値が（ｉ，ｑ）＝（＋０．５，＋０．５）とする。この場合、信号特性表示領域６０１のＩ軸では、４８文字のうち、左端から約３６文字、右端から約１２文字の位置にある列が該当し、Ｑ軸では、２４文字のうち、上端から約６文字、下端から約１８文字の位置にある行が該当する。それらの該当する列と行が交差する文字が、その信号点が収まる文字のマスに該当する。図７の例では、理想値“C”で示す（ｉ，ｑ）＝（＋０．５，＋０．５）の信号点は、I軸で左端から３６文字、及びＱ軸で上端から６文字の位置にあるマスが該当する。同様に、変換部５３は、複数の信号点をプロットする。
【０１０３】
実際に測定される信号点の数値データは、例えば（ｉ，ｑ）＝（＋０．５７３１，＋０．４０９６）といったように、理想値からのズレを有する。信号点は、そのズレの大きさに応じて、理想値が収まるマスまたはその周辺のいずれかのマスに収まることになる。
【０１０４】
（３）  変換部５３は、対象期間の原データ２０３について、信号特性表示領域６０１のマス毎に、該当する信号点の個数をカウントする。
【０１０５】
（４）  変換部５３は、信号特性表示領域６０１のマス毎の信号点の個数に基づいて、マス毎に、信号点の測定に関する複数の段階を算出する。即ち、変換部５３は、マス毎の信号点の個数の最小値から最大値までの範囲を、所定の複数の段階に区分し、各マスの個数のカウント値が、どの段階に該当するかを判断する。
【０１０６】
（５）  変換部５３は、信号特性表示領域６０１のマス毎に、信号点の段階を、特定の文字で表現する。変換部５３は、各マスをどの文字で表示するかを決定する。変換部５３は、ユーザ設定または指示に基づいて、前述のように、複数の段階を表す所定の文字（例：“ ”，“+”，“*”，“@”）を使用する。変換部５３は、マス毎に、信号点の段階に応じた文字を割り当てる。
【０１０７】
以上の処理により、信号特性表示領域６０１の全てのマスの文字が決定され、その信号特性表示領域６０１を含むＣＬＩデータ２０４が得られる。このＣＬＩデータ２０４は、図７のように、縦横に文字が配列されたデータである。このＣＬＩデータが管理端末２のＣＬＩ画面に出力された場合、図２のように表示される。
【０１０８】
［他の信号特性表示情報］
信号空間ダイヤグラム以外に、他の信号特性表示情報として、以下も適用可能である。
【０１０９】
（１）  他の信号特性表示情報として、伝送信号の２値信号のアイパターン（eye pattern）を表示してもよい。アイパターンは、信号波形の遷移を重ね合わせて表現した図である。アイパターンの場合も、変換部５３は、信号特性表示領域のマス毎に、アイパターンの線の重なりをカウントし、マス毎の段階を判断して、マス毎の使用文字を決定すればよい。
【０１１０】
（２）  他の信号特性表示情報として、ＯＴＤＲ（Optical Time Domain Reflectometer）の損失曲線を表示してもよい。ＯＴＤＲは、光ファイバの光信号の伝送損失等を算出する機能を有する測定器である。この場合、通信装置１には、ＯＴＤＲのような測定器が接続または内蔵される。
【０１１１】
図８は、変換部５３でＣＬＩ方式の損失曲線を作成し、ＣＬＩ画面に表示する例を示す。図８のＣＬＩ画面内には、損失曲線として、横軸に損失（“Loss”、単位はｄＢ）をとって表示し、縦軸に距離（“Distance”、単位はｍ）をとって表示している。マス毎にプロットされた文字の意味として、文字“*”は測定結果ＯＫ（損失が閾値範囲内である場合）を示し、文字“!”は測定結果ＮＧ（損失が閾値超過である場合）を示し、文字“|”は閾値を示す。この損失曲線の例では、距離が25000ｍ程度までは測定結果ＯＫであり、損失が閾値以内になっていることを示す。
【０１１２】
［品質分析］
品質分析部５４で実行する所定の品質分析の例は以下である。品質分析部５４は、品質分析で、品質指標値として、少なくとも、ＥＶＭ（エラー・ベクトル・マグニチュード）を計算する。ＥＶＭは、信号点の理想的な位置に対して、実際の信号点がどの程度近いか遠いかを表す指標値である。ＥＶＭ指標値は、例えば、全ての信号点に関して、各信号点の理想的な位置と実際の信号点の位置との距離ベクトルを用いて、それらの平均値をとる演算、等により算出することができる。
【０１１３】
品質分析結果情報をＣＬＩ方式でＣＬＩ画面に表示する方式については、以下が可能である。
【０１１４】
（１）  品質分析結果情報を、信号特性表示情報とは別に表示する場合、以下が可能である。品質分析部５４は、所定の品質分析で、品質分析結果情報を得た後、その品質分析結果情報を、ＣＬＩ方式の品質分析結果データに変換する。品質分析部５４は、品質分析結果情報の内容に応じて、ＣＬＩ画面内でその品質分析結果情報を表示するための領域を決定する。この領域は、例えばＣＬＩ画面内の左上点から始まる所定のサイズの領域である。
【０１１５】
品質分析部５４は、ＣＬＩ画面内の領域に品質分析結果情報を表示するために、所定の文字を用いて、ＥＶＭ指標値等を表現する。品質分析部５４は、当該領域内に文字を配置して、ＣＬＩ方式の品質分析結果データとして出力する。
【０１１６】
（２）  品質分析結果情報を、信号特性表示情報と一緒に１つのＣＬＩ画面内にまとめて表示する場合、以下が可能である。品質分析部５４は、変換部５３から信号特性表示情報を含むＣＬＩデータを得る。品質分析部５４は、品質分析結果情報の内容に応じて、ＣＬＩ画面内で、信号特性表示情報を表示する領域に対して、品質分析結果情報を表示する領域を決定する。品質分析部５４は、例えば、図５のように、ＣＬＩ画面内で、信号空間ダイヤグラムを表示するための信号特性表示領域６０１の隣の空いた領域に、品質表示領域６０２を確保する。この品質表示領域６０２は、例えばＥＶＭ指標値等を表現するために十分なサイズを持つ領域が確保される。
【０１１７】
品質分析部５４は、その品質表示領域６０２に、品質分析結果情報であるＥＶＭ指標値等を表現するように、所定の文字を配置する。これにより、品質分析部５４は、ＣＬＩ方式で信号特性表示情報に品質分析結果情報が添えられたＣＬＩデータを作成して出力する。
【０１１８】
［効果等］
以上説明したように、実施の形態１の通信システム及び信号特性表示方法によれば、通信システムの信号特性モニタを含むＯＡＭに関して、従来のＣＬＩ方式のＯＡＭと共存しつつ、好適な信号特性表示を低コストで実現できる。そして、実施の形態１によれば、ＯＡＭに係わる作業の効率や品質を確保または向上できる。
【０１１９】
実施の形態１によれば、ＣＬＩ方式で迅速に伝送信号の特性や品質等を表示でき、ＧＵＩのためのハードウェア及びソフトウェアの資源及びその実装が不要であり、開発コスト等のコストが低減できる。また、実施の形態１によれば、迅速な対応が求められるＯＡＭ作業でも、高速度の応答表示が可能である。ＣＬＩは、汎用的なソフトウェアで実現でき、専用のソフトウェアは不要である。管理端末２に、通信装置及びＧＵＩ方式に対応した専用のソフトウェアを入手及びインストールすることは不要である。
【０１２０】
実施の形態１によれば、ＣＬＩ画面で、既存のＯＡＭ作業の情報と並存して、通信システムの信号特性表示情報を表示して状態をモニタすることができるので、ＯＡＭの効率や品質を高めることができる。また、ＣＬＩの場合、ＣＬＩ画面での文字列の入力により操作が可能である。ＣＬＩに習熟した管理者の場合、ＧＵＩよりもＣＬＩの方が操作を速く容易に行うことができるので、ＯＡＭの効率を高めることができる。
【０１２１】
特に、実施の形態１では、通信装置１で原データからの変換により特有のＣＬＩデータを作成してから、ＣＬＩデータを管理端末２に送信してＣＬＩ画面に表示させる。よって、通信装置１と管理端末２との間の通信において、データ量が比較的少なく、高速である。管理端末２では、ＣＬＩデータへの変換処理が不要であり、変換部５３に相当するプログラム等の実装が不要である。管理端末２としては、ＣＬＩを備える装置であればよく、既存の多くの装置が適用可能である。
【０１２２】
実施の形態１に対する比較例として、特許文献１のような従来技術を用いて信号空間ダイヤグラム等の信号特性表示情報をＧＵＩ画面に表示する方式を、従来のＣＬＩ方式のＯＡＭを行う通信システムに適用した場合、以下のようなシステムになる。即ち、比較例のシステムでは、ＧＵＩ機能を持つ管理端末は、通信装置から原データを取得し、原データから専用のソフトウェアを用いて変換によりＧＵＩ方式の信号特性表示情報を作成し、ＧＵＩ画面に表示する。
【０１２３】
しかし、従来の通信システムでは、管理者は、主にＣＬＩ方式でＯＡＭに係わる作業を行っており、管理端末は、ＣＬＩ機能を持つが、詳細なＧＵＩ機能は持っていない。ＯＡＭに係わる管理端末は、ＣＬＩで制御される装置が多い。よって、比較例のシステムでは、管理端末にＧＵＩ機能や専用のプログラム等の実装が別途必要になり、コストが高くなる。また、管理端末で、既存のＣＬＩ画面の情報と、ＧＵＩ画面の情報とを使い分けてＯＡＭに係わる作業を行わなければならないので、作業効率が低下する恐れがある。
【０１２４】
一方、実施の形態１によれば、管理端末２で、ＣＬＩ方式で、信号特性表示情報を含むＯＡＭに係わる情報をまとめて表示することができ、既存のＯＡＭの作業との連係や切り替えも容易であり、作業の効率や品質を高めることができる。
【０１２５】
また、変換部５３は、ＣＬＩデータを作成する際、ＣＬＩ画面の最大領域内に、信号特性表示領域である第１の領域を確保し、その第１の領域において、信号点を、マス毎に段階に応じた特定の文字で表現する。これにより、伝送信号の特性をＣＬＩ方式で管理者にわかりやすく伝えることができる。
【０１２６】
また、変換部５３は、第１の領域に信号空間ダイヤグラムを表示する場合、Ｉ軸及びＱ軸の最大範囲または指定された範囲を表示対象として、最大領域に合わせた正方形または長方形の領域となるように第１の領域の縦横のサイズを決定する。これにより、ＣＬＩ画面内に、第１の領域を、そのサイズを含めて好適に確保して、信号特性表示情報を好適に表示することができる。
【０１２７】
また、ＣＬＩ情報取得部５２は、管理端末２との通信に基づいて、ＣＬＩ画面のサイズ等を含むＣＬＩ情報を取得し、変換部５３の変換処理に用いるようにする。これにより、管理端末２のＣＬＩの種類や状態に合わせた、好適なＣＬＩ方式の信号特性表示機能を提供できる。
【０１２８】
また、品質分析部５４は、所定の品質分析処理により、所定の品質指標値を含む品質分析結果情報を、ＣＬＩ方式の品質分析結果データとして作成する。これにより、ＣＬＩ画面に、ＣＬＩ方式の信号特性表示情報と共にＣＬＩ方式の品質分析結果情報を表示することができ、ＯＡＭ作業を支援することができる。
【０１２９】
また、変換部５３は、ＣＬＩ画面の最大領域内に、信号特性表示領域である第１の領域を例えば正方形で確保し、余った領域を、例えば品質分析結果情報を表示する第２の領域として確保する。これにより、ＣＬＩ画面のスペースを有効活用して、管理者に効率的に情報を伝えることができる。
【０１３０】
［変形例］
実施の形態１の通信システム及び信号特性表示方法の変形例として、以下が挙げられる。信号特性モニタ対象となる図１の通信装置１は、ＷＤＭを行う伝送装置に限らず、レイヤ２やレイヤ３の転送を行うスイッチ装置等、各種の装置が適用可能である。
【０１３１】
実施の形態１では、管理端末２のＣＬＩ画面で得られる伝送信号の特性や品質等の情報の利用については、通信システムの事業者の管理者のみが、ＯＡＭのために参照する。これに限らず、その情報を、通信システムの顧客に提供してもよい。後者の場合、例えば、管理端末２で得たＣＬＩデータを、顧客の端末に転送して、顧客の端末のＣＬＩ画面に表示させてもよい。また、通信装置１からＣＬＩデータを顧客の端末へ転送して、顧客の端末のＣＬＩ画面に表示させてもよい。この場合、ＣＬＩ方式の信号特性表示情報を、通信サービスの品質等を示すレポートとして顧客に提供することができる。
【０１３２】
（実施の形態２）
図９を用いて、本発明の実施の形態２の通信システム及び信号特性表示方法について説明する。実施の形態２の信号特性表示方法は、実施の形態２の通信システムで実行されるステップを有する方法である。以下、実施の形態２の構成における実施の形態１の構成とは異なる部分について説明する。実施の形態２は、実施の形態１に対して主に異なる構成の部分として、通信装置１ではなく管理端末２で、原データからＣＬＩデータを作成する処理を行う。
【０１３３】
図９は、実施の形態２の通信システムの構成を示す。通信装置１の制御部１１は、ＣＬＩ対応処理部１００として、原データ取得部５１、原データ送信部５６を含む。管理端末２の制御部２１は、ＣＬＩ部２００として、コマンド送信部７０、原データ受信部７１、ＣＬＩ情報取得部７２、変換部７３、品質分析部７４、ＣＬＩデータ出力部７５を含む。
【０１３４】
図９の通信システムにおいて、信号特性表示に係わる処理シーケンスは以下の通りである。以下、処理シーケンスを構成するステップの順に説明する。
【０１３５】
（１）  管理者は、管理端末２で、信号特性表示のためのコマンドを入力する。ＣＬＩ部２００は、入力されたコマンドを解釈し、当該コマンドが、信号特性表示に係わる所定のコマンドである場合、コマンド送信部７０を用いる。コマンド送信部７０は、入力されたコマンドに応じた指示を含むコマンド２１１を作成する。
【０１３６】
コマンド２１１の内容は、例えば、指定された任意のタイミングや期間で、あるいは一定時間間隔のタイミング毎に、通信装置１の伝送信号の原データ２１３を取得して、ＣＬＩデータを作成するための指示を含む。コマンド２１１の詳しい内容は、実施の形態１と同様に各種が可能である。
【０１３７】
実施の形態２では、管理端末２と通信装置１との間の通信で、原データを授受するために、ＣＬＩ上で動作するＦＴＰ等のファイル形式を扱うプロトコルを用いる。コマンド送信部７０は、ＦＴＰ等のプロトコルに従い、コマンド２１１を発行する。コマンド送信部７０は、そのコマンド２１１を、通信部２３のポート３４から通信装置１へ送信する。
【０１３８】
（２）  通信装置１は、管理端末２からのコマンド２１１を、通信部１３のポート３３で受信する。通信部１３は、そのコマンド２１１を、制御部１１のＣＬＩ対応処理部１００へ転送する。原データ取得部５１は、コマンド２１１の指示に応じて、通信部１３の変復調部３１から、指定された時点の伝送信号の原データ２１３を取得する。
【０１３９】
原データ送信部５６は、原データ取得部５１により取得した原データ２１３を管理端末２へ送信する際、ＦＴＰ等のプロトコルに対応したファイル形式で原データ２１３を送信する。原データ送信部５６は、原データ２１３として、例えば、時点毎の数値データのファイルを通信部１３に渡す。ファイルは、複数の時点を含む所定期間の数値データとしてもよい。通信部１３は、ＦＴＰ等のプロトコルに従い、その原データ２１３を、ファイル形式の原データ２１４として、ポート３３から管理端末２へ向けて送信する。
【０１４０】
なお、通信装置１は、実施の形態１と同様に、ユーザ設定等に基づいて、指定のタイミングで自動的に原データ２１３を取得して、指定のタイミングで管理端末２へ送信してもよい。
【０１４１】
（３）  管理端末２は、通信装置１から原データ２１４のファイルを受信する。通信部２３は、そのファイルをポート３４で受信し、制御部２１のＣＬＩ部２００へ転送する。原データ受信部７１は、そのファイルの原データ２１４を取得し、変換部７３へ出力する。
【０１４２】
（４）  ＣＬＩ情報取得部７２は、管理端末２内に管理されているＣＬＩ情報２１２を取得し、変換部７３へ出力する。
【０１４３】
（５）  変換部７３は、原データ受信部７１からの原データ２１４を入力し、ＣＬＩ情報取得部７２からのＣＬＩ情報２１２を入力する。変換部７３は、ＣＬＩ情報２１２を用いて、その原データ２１３を、ＣＬＩ方式の信号特性表示情報を含むＣＬＩデータ２１５に変換し、そのＣＬＩデータ２１５を出力する。
【０１４４】
（６）  更に、実施の形態１と同様に、品質分析部７４を用いて、伝送信号の品質を分析する品質分析処理を行い、ＣＬＩ方式の品質分析結果データを、ＣＬＩデータ２１５に添付することができる。品質分析部５４は、品質分析結果データを含むＣＬＩデータ２１５を、ＣＬＩデータ出力部７５に出力する。
【０１４５】
（７）  ＣＬＩデータ出力部７５は、変換部７３または品質分析部７４からのＣＬＩデータ２１５を入力し、そのＣＬＩデータ２１５を、ＣＬＩ画面へ出力する。
【０１４６】
以上のように、実施の形態２によれば、実施の形態１と同様に、従来のＣＬＩ方式のＯＡＭと共存しつつ、好適な信号特性表示を低コストで実現でき、ＯＡＭに係わる作業の効率や品質を確保または向上できる。
【０１４７】
特に、実施の形態２では、通信装置１から原データを管理端末２へ送信し、管理端末２で原データからの変換により特有のＣＬＩデータを作成する。よって、管理端末２に変換部７３のようなプログラム等の実装が必要であるが、通信装置１には、変換部５３に相当するプログラム等の実装が不要であり、通信装置１自体の構成を簡略にできる。
【０１４８】
以上、本発明を実施の形態に基づいて具体的に説明したが、本発明は前記実施の形態に限定されず、その要旨を逸脱しない範囲で種々変更可能である。
【符号の説明】
【０１４９】
１…通信装置、２…管理端末、１１…制御部、１２…記憶部、１３…通信部、２１…制御部、２２…記憶部、２３…通信部、２４…入力装置、２５…表示装置、３１…変復調部、３２，３３，３４…ポート、１００…ＣＬＩ対応処理部、１０１…通信網、２００…ＣＬＩ部。
【図１】
0006541522.tif 000002
【図２】
0006541522.tif 000003
【図３】
0006541522.tif 000004
【図４】
0006541522.tif 000005
【図５】
0006541522.tif 000006
【図６】
0006541522.tif 000007
【図７】
0006541522.tif 000008
【図８】
0006541522.tif 000009
【図９】
0006541522.tif 000010